(57)【要約】【課題】携帯端末から画像形成装置に送信された印刷ジョブの実行後に再印刷したい場合に、携帯端末がバッテリー切れとなっていたとしても携帯端末のバッテリー充電を待つことなく再印刷可能とし、且つジョブ情報を記憶するリソースの低下を抑制する。【解決手段】画像形成装置３と、携帯端末２とがネットワークＮにより接続された画像形成システムにおいて、携帯端末は、第１の通信手段と、第１の通信手段により、ジョブ情報及び携帯端末のバッテリーの充電残量情報を含む充電情報を、画像形成装置へ送信する第１の送信制御手段と、を備え、画像形成装置は、第２の通信手段と、第２の通信手段により、ジョブ情報及び充電情報を携帯端末から受信する第１の受信制御手段と、ジョブ情報を記憶する記憶手段と、充電情報に基づいて、ジョブ情報の記憶手段への記憶を管理するジョブ情報管理手段と、を備える。【選択図】図１
2018069516.tif 000002
【特許請求の範囲】
【請求項１】
携帯端末と通信ネットワークにより接続される画像形成装置において、
前記携帯端末と通信を行う通信手段と、
前記通信手段により、ジョブ情報及び前記携帯端末のバッテリーの充電残量情報を含む充電情報を前記携帯端末から受信する受信制御手段と、
前記ジョブ情報を記憶する記憶手段と、
前記充電情報に基づいて、前記ジョブ情報の前記記憶手段への記憶を管理するジョブ情報管理手段と、を備える
ことを特徴とする画像形成装置。
【請求項２】
前記受信制御手段は、前記ジョブ情報が送信完了した時点の前記充電情報を受信することを特徴とする請求項１に記載の画像形成装置。
【請求項３】
ジョブの完了後に、前記ジョブ情報を前記記憶手段に記憶させ、完了したジョブを再実行可能な再印刷可能モードを有し、
前記ジョブ情報管理手段は、前記充電残量情報を所定の閾値と比較した結果に基づいて前記再印刷可能モードに移行し、前記再印刷可能モードに移行しない場合は、ジョブの完了後に前記ジョブ情報を前記記憶手段に記憶せずに削除することを特徴とする請求項１又は２に記載の画像形成装置。
【請求項４】
前記閾値は、第１の閾値を有し、
前記充電情報は、前記バッテリーを充電中か否かの充電状態情報を有し、
前記ジョブ情報管理手段は、前記充電状態情報をもとに前記バッテリーが充電中か否かを判断し、充電中でないと判断した場合に、前記充電残量情報が前記第１の閾値よりも小さいと判断した場合に、前記再印刷可能モードへと移行することを特徴とする請求項３に記載の画像形成装置。
【請求項５】
前記ジョブ情報に基づいて、当該ジョブの印刷開始から完了するまでに要する推定ジョブ所要時間を算出するジョブ所要時間算出手段と、
前記充電情報に基づいて、前記携帯端末の推定残駆動時間を算出する携帯端末駆動時間算出手段と、を備え、
前記閾値は、前記第１の閾値よりも大きい値である第２の閾値を有し、
前記ジョブ情報管理手段は、前記充電状態情報をもとに前記携帯端末が充電中か否かを判断し、充電中でないと判断した場合に、前記充電残量情報が前記第２の閾値以下であって前記第１の閾値以上であり、且つ前記推定ジョブ所要時間が前記推定残駆動時間から所定時間を差し引いた値を上回ると判断した場合に、前記再印刷可能モードへと移行することを特徴とする請求項４に記載の画像形成装置。
【請求項６】
前記携帯端末の位置情報から前記携帯端末と当該画像形成装置との距離を算出する距離算出手段と、
前記記憶手段の空き容量を算出する空き容量算出手段と、を備え、
前記ジョブ情報管理手段は、前記距離、前記空き容量及び前記充電情報に応じて、前記再印刷可能モードにおける前記ジョブ情報の前記記憶手段に記憶する記憶時間を決定することを特徴とする請求項３から５の何れか一項に記載の画像形成装置。
【請求項７】
前記再印刷可能モードに移行した場合に、前記通信手段により、前記携帯端末に対して再印刷可能である旨を伝える情報を送信する送信制御手段を備えること
を特徴とする請求項３から６の何れか一項に記載の画像形成装置。
【請求項８】
ジョブを実行する画像出力手段を備え、
前記ジョブ情報管理手段は、前記再印刷可能モードに移行した場合に、ジョブの完了後に、ユーザーに対して再印刷可能である旨を伝える情報を表示した用紙を前記画像出力手段に出力させることを特徴とする請求項３から７の何れか一項に記載の画像形成装置。
【請求項９】
ユーザーが前記携帯端末を識別可能な端末識別情報を入力可能な操作手段と、
前記操作手段により入力された前記端末識別情報に基づいて、ユーザー認証を行ってログインさせる認証手段と、を備える
ことを特徴とする請求項３から８の何れか一項に記載の画像形成装置。
【請求項１０】
ユーザーが前記ジョブ情報を再設定可能な再印刷設定画面を表示する表示手段と、
前記認証手段がユーザー認証を行った場合に、前記表示手段に前記再印刷設定画面を表示させる再印刷設定表示制御手段と、を備える
ことを特徴とする請求項９に記載の画像形成装置。
【請求項１１】
前記再印刷設定表示制御手段は、
ユーザーの操作に応じて、前記再印刷設定画面に、前回印刷時の印刷設定を表示させることを特徴とする請求項１０に記載の画像形成装置。
【請求項１２】
ジョブを実行する画像出力手段と、
ユーザーの操作に応じて、前記再印刷設定画面に、前記ジョブ情報のジョブの一部を画像出力手段により出力させるテスト印刷制御手段と、を備えることを特徴とする請求項１０又は１１に記載の画像形成装置。
【請求項１３】
前記ジョブ情報管理手段は、
ユーザーが前記画像形成装置にログイン中は、前記記憶手段に記憶する記憶時間のカウントを一時停止することを特徴とする請求項９から１２の何れか一項に記載の画像形成装置。
【請求項１４】
前記ジョブ情報管理手段は、
ユーザーが再印刷を実行することなく前記画像形成装置からログアウトした場合に、前記記憶手段に記憶する記憶時間のカウントを再開することを特徴とする請求項９から１３の何れか一項に記載の画像形成装置。
【請求項１５】
前記ジョブ情報管理手段は、
前記記憶手段が複数のジョブ情報を記憶している場合に、前記記憶手段に記憶する記憶時間の終了が重ならないように前記記憶時間を制御することを特徴とする請求項３から１４の何れか一項に記載の画像形成装置。
【請求項１６】
前記ジョブ情報管理手段は、
前記画像形成装置がジョブを出力できない状況下では、前記記憶手段に記憶する記憶時間のカウントを一時停止することを特徴とする請求項３から１５の何れか一項に記載の画像形成装置。
【請求項１７】
前記ジョブ情報管理手段は、
前記再印刷可能モードに移行した場合に、再印刷後に前記ジョブ情報を削除することを特徴とする請求項３から１６の何れか一項に記載の画像形成装置。
【請求項１８】
画像形成装置と、携帯端末とが通信ネットワークにより接続された画像形成システムにおいて、
前記携帯端末は、
前記画像形成装置と通信を行う第１の通信手段と、
前記第１の通信手段により、ジョブ情報及び前記携帯端末のバッテリーの充電残量情報を含む充電情報を、前記画像形成装置へ送信する第１の送信制御手段と、を備え、
前記画像形成装置は、
前記携帯端末と通信を行う第２の通信手段と、
前記第２の通信手段により、前記ジョブ情報及び前記充電情報を前記携帯端末から受信する第１の受信制御手段と、
前記ジョブ情報を記憶する記憶手段と、
前記充電情報に基づいて、前記ジョブ情報の前記記憶手段への記憶を管理するジョブ情報管理手段と、を備える
ことを特徴とする画像形成システム。
【請求項１９】
携帯端末と通信を行う通信手段と、
ジョブ情報を保持する記憶手段と、を備えた画像形成装置のコンピューターを、
前記通信手段により、ジョブ情報及び前記携帯端末のバッテリーの充電残量情報を含む充電情報を、前記携帯端末から受信する受信制御手段、
前記充電情報に基づいて前記ジョブ情報の前記記憶手段への記憶を管理するジョブ情報管理手段、として機能させるためのプログラム。
【発明の詳細な説明】
【技術分野】
【０００１】
本発明は、画像形成装置、画像形成システム、及びプログラムに関する。
【背景技術】
【０００２】
近年、多機能デジタル複合機ＭＦＰ（Multifunction Peripherals）等の画像形成装置に対して、例えば、Ｗｉ−Ｆｉ（Wireless Fidelity）等の無線ＬＡＮ通信や、Bluetooth（登録商標）等の近距離型無線通信を利用して、携帯電話機やタブレット等の携帯端末から印刷ジョブ情報を送信し、ジョブを実行させる構成が知られている。
このようなシステムを利用する場合、ユーザーは画像形成装置のメーカーが開発したアプリケーションソフトウェアを予め携帯端末にインストールし、当該アプリケーションソフトウェアを用いて、印刷設定及びジョブの実行をすることができる。
【０００３】
このような画像形成装置においても、他の画像形成装置と同様に、画像形成装置内に記憶された印刷データのセキュリティが重視されており、印刷データを長時間保持することは望ましくない。また、ＭＦＰでは複数人が大量にジョブを投入することも想定されるため、印刷データをすべて保持すると、リソースの低下の虞がある。従って、印刷データはジョブの実行後に直ちに消去するのが望ましい。
【０００４】
一方で、印刷データが実行後に直ちに消去されてしまうと、画像形成装置に発生したトラブルにより印刷が中断した場合には、再度ジョブを実行することができない。
【０００５】
そこで、特許文献１には、画像形成装置にジャム等のトラブルが発生した際に、携帯端末と画像形成装置の近距離型無線通信が確立している場合には、セキュリティが確保されているものと判断し、一定の時間印刷データを保存する技術が開示されている。これにより、トラブル等で印刷が中断された場合にも、ユーザーの利便性が確保される。
【先行技術文献】
【特許文献】
【０００６】
【特許文献１】特開２０１０−００５８７７号公報
【発明の概要】
【発明が解決しようとする課題】
【０００７】
しかしながら、特許文献１に記載の発明は、印刷実行中のトラブル発生時を対象にしており、印刷完了後には印刷データは削除されてしまっている。従って、印刷完了後に再印刷したい場合には、やはり携帯端末から印刷データを再送信する必要がある。ところが、印刷データを再送信しようとした際、携帯端末がバッテリー切れとなっていると、再印刷の実行を行えないという問題があった。
【０００８】
本発明は上記課題に鑑みてなされたものであり、携帯端末から画像形成装置に送信されたジョブの実行後に再印刷したい場合に、携帯端末がバッテリー切れとなっていたとしても携帯端末のバッテリー充電を待つことなく再印刷可能で、且つジョブ情報を記憶するリソースの低下を抑制できる画像形成装置、画像形成システム、及びプログラムを提供することを目的とする。
【課題を解決するための手段】
【０００９】
上記課題を達成するため、本発明における画像形成装置は、
携帯端末と通信ネットワークにより接続される画像形成装置において、
前記携帯端末と通信を行う通信手段と、
前記通信手段により、ジョブ情報及び前記携帯端末のバッテリーの充電残量情報を含む充電情報を前記携帯端末から受信する受信制御手段と、
前記ジョブ情報を記憶する記憶手段と、
前記充電情報に基づいて、前記ジョブ情報の前記記憶手段への記憶を管理するジョブ情報管理手段と、を備える
ことを特徴とする。
【００１０】
また、本発明における画像形成システムは、
画像形成装置と、携帯端末とが通信ネットワークにより接続された画像形成システムにおいて、
前記携帯端末は、
前記画像形成装置と通信を行う第１の通信手段と、
前記第１の通信手段により、ジョブ情報及び前記携帯端末のバッテリーの充電残量情報を含む充電情報を、前記画像形成装置へ送信する第１の送信制御手段と、を備え、
前記画像形成装置は、
前記携帯端末と通信を行う第２の通信手段と、
前記第２の通信手段により、前記ジョブ情報及び前記充電情報を前記携帯端末から受信する第１の受信制御手段と、
前記ジョブ情報を記憶する記憶手段と、
前記充電情報に基づいて、前記ジョブ情報の前記記憶手段への記憶を管理するジョブ情報管理手段と、を備える
ことを特徴とする。
【００１１】
また、本発明におけるプログラムは、
携帯端末と通信を行う通信手段と、
ジョブ情報を保持する記憶手段と、を備えた画像形成装置のコンピューターを、
前記通信手段により、ジョブ情報及び前記携帯端末のバッテリーの充電残量情報を含む充電情報を、前記携帯端末から受信する受信制御手段、
前記充電情報に基づいて前記ジョブ情報の前記記憶手段への記憶を管理するジョブ情報管理手段、として機能させる
ことを特徴とする。
【発明の効果】
【００１２】
本発明によれば、携帯端末から画像形成装置に送信された印刷ジョブの実行後に再印刷したい場合に、携帯端末がバッテリー切れとなっていたとしても携帯端末のバッテリー充電を待つことなく再印刷可能で、且つジョブ情報を記憶するリソースの低下を抑制できる画像形成装置、画像形成システム、及びプログラムを提供することができる。
【図面の簡単な説明】
【００１３】
【図１】本発明の画像形成システムの全体構成を示す図である。
【図２】携帯端末の機能構成を示す機能ブロック図である。
【図３】画像形成装置の機能構成を示す機能ブロック図である。
【図４】ジョブ情報管理制御の処理手順を示すフローチャートである。
【図５】再印刷可能通知画面の一例を示す図である。
【図６】ステイ時間管理制御の処理手順を示すフローチャートである。
【図７】ジョブのステイ時間の一例を示す図である。
【図８】ログイン選択画面の一例を示す図である。
【図９】再印刷設定画面の一例を示す図である。
【発明を実施するための形態】
【００１４】
以下、本発明を実施するための最良の形態について図面を用いて説明する。但し、以下に述べる実施形態には、本発明を実施するために技術的に好ましい種々の限定が付されているが、これに限定されるものではない。
【００１５】
画像形成システム１は、図１に示すように、携帯端末２と、画像形成装置３とを備えて構成される。携帯端末２と画像形成装置３は、ネットワークＮを介して接続されている。
【００１６】
携帯端末２は、無線通信機能を備えたスマートフォンやタブレットなどのスマートデバイス、携帯電話機等の各ユーザーが所持して使用する携帯型端末機器であり、画像形成装置３に対して印刷ジョブを送信する印刷アプリケーション（以下、印刷アプリと称する）がインストールされている。
携帯端末２は、制御部２０と、通信部２１と、表示部２２と、操作部２３と、記憶部２４と、を備えて構成される。
【００１７】
制御部２０は、ＣＰＵ（Central Processing Unit）、ＲＡＭ（Random Access Memory）、ＲＯＭ（Read Only Memory）等を備えて構成される。制御部２０は、記憶部２４に記憶されたプログラムを読み出して実行することにより、携帯端末ジョブ管理部２０１、充電情報管理部２０２、携帯端末情報管理部２０３として機能する。
【００１８】
携帯端末ジョブ管理部２０１は、操作部２３の要求に応じて、通信部２１を介して印刷ジョブを画像形成装置３に送信する。
【００１９】
充電情報管理部２０２は、充電情報を管理する。充電情報は、携帯端末のバッテリーの充電残量を表す充電残量情報と、携帯端末２が充電中であるか否かを表す充電状態情報とを含む。充電情報管理部２０２は、携帯端末ジョブ管理部２０１の要求に応じて充電情報を携帯端末ジョブ管理部２０１に送信し、当該充電情報は通信部２１を介して画像形成装置３に送信される。
【００２０】
携帯端末情報管理部２０３は、携帯端末を特定可能な携帯端末識別情報を保持している。携帯端末識別情報とは、例えば電話番号や端末識別番号等を指し、携帯端末情報管理部２０３は、携帯端末ジョブ管理部２０１の要求に応じて携帯端末識別情報を携帯端末ジョブ管理部２０１に送信し、当該携帯端末識別情報は通信部２１を介して画像形成装置３に送信される。
【００２１】
通信部２１は、ネットワークＮ上の画像形成装置３に対して、制御部２０により保持されている印刷ジョブ、充電情報、携帯端末識別情報等を送信する。通信部２１の無線通信方式は、Ｗｉ−Ｆｉ（Wireless Fidelity）等の無線ＬＡＮ（Local Area Network）方式であるものとするが、これに限定されず、Bluetooth等の近距離型無線通信方式を利用してもよい。
【００２２】
表示部２２は、ＬＣＤ（Liquid Crystal Display）、有機ＥＬ（Electro luminescence）ディスプレイ等を備え、制御部２０による表示制御に従って、操作画面、通知画面等の表示画面を表示する。
【００２３】
操作部２３は、操作キー、タッチパネル等を備え、ユーザーによるこれらの操作に応じて操作信号を作成し、制御部２０に出力する。
【００２４】
記憶部２４は、制御部２０が読み取り可能なプログラム及びプログラムの実行に必要なデータ等を記憶している。記憶部２４としては、例えばハードディスク（ＨＤＤ）、ＥＥＰＲＯＭ（Electrically Erasable Programmable ROM）、フラッシュメモリ等の記憶媒体を用いることができる。
【００２５】
画像形成装置３は、制御部３０と、通信部３１と、表示部３２と、操作部３３と、記憶部３４と、画像出力部３５と、を備えて構成される。本実施形態においては、画像形成装置３としてコピー機能、プリンタ機能、ファクシミリ機能、他装置へのデータ送信機能等の多機能が集約されたデジタル複合機であるＭＦＰ（Multifunction Peripherals）を用いているが、これに限定されず、例えば複写機、プリンタ、ファクシミリ等であってもよい。
【００２６】
制御部３０は、ＣＰＵ（Central Processing Unit）、ＲＡＭ（Random Access Memory）、ＲＯＭ（Read Only Memory）等を備えて構成される。制御部３０は、記憶部３４に記憶されたプログラムを読み出して実行することにより、ジョブ管理部３０１、ジョブ所要時間算出部３０２、携帯端末駆動時間算出部３０３、ステイ時間算出部３０４として機能する。
【００２７】
ジョブ管理部３０１は、通信部３１を介して携帯端末２から送られてきた各種情報を受信して、画像形成装置３の各部を統括制御し、後述する再印刷時のジョブ情報管理制御を行う。
【００２８】
ジョブ所要時間算出部３０２は、ジョブ管理部３０１の要求に応じて、後述するジョブ完了推定時間ＪＴを算出し、ジョブ管理部３０１に送信する。
【００２９】
携帯端末駆動時間算出部３０３は、ジョブ管理部３０１の要求に応じて、後述する携帯端末推定残駆動時間ＲＴを算出し、ジョブ管理部３０１に送信する。
【００３０】
ステイ時間算出部３０４は、ジョブ管理部３０１の要求に応じて、後述するジョブのステイ時間Ｓを算出し、ジョブ管理部３０１に送信する。
【００３１】
通信部３１は、ネットワークＮ上の携帯端末２から、上述した印刷ジョブ、充電情報、携帯端末識別情報等を受信する。通信部３１の無線通信方式は、Ｗｉ−Ｆｉ（Wireless Fidelity）等の無線ＬＡＮ（Local Area Network）方式であるものとするが、これに限定されず、Bluetooth等の近距離型無線通信方式を利用してもよい。
【００３２】
表示部３２は、ＬＣＤ（Liquid crystal display）等の表示装置を備え、画像形成装置３の状態や、タッチパネルへの入力操作の内容を示す操作画面等を表示する。
【００３３】
操作部３３は、操作キーや表示部３２の画面に重ねられて配置されたタッチパネル等の入力デバイスを備え、これらの入力デバイスに対する入力操作を操作信号に変換して制御部３０に出力する。
【００３４】
記憶部３４は、半導体メモリーであるＤＲＡＭ（Dynamic Random Access Memory）やＨＤＤ（Hard Disk Drive）等の記憶手段により構成され、画像形成装置３に入力された画像データや、制御部３０の要求に応じて、携帯端末２から受信した印刷ジョブ等を蓄積する。
【００３５】
画像出力部３５は、記憶部３４に記憶された画像データに基づいて画像を形成し、ジョブ管理部３０１の要求に応じて、用紙に画像を出力する。
具体的には、Ｃ（シアン）、Ｍ（マゼンタ）、Ｙ（イエロー）及びＫ（黒）の色成分に各々対応する４組の露光部、感光体ドラム及び現像部を備えた図示しない画像形成部において用紙に画像を形成し、図示しない画像定着部において用紙を加熱及び加圧してトナーを用紙に定着させる定着処理を行い、図示しない排紙トレイより用紙を排出する。
【００３６】
次に、図４のフローチャートに基づいて、本実施形態に係るジョブ情報管理制御について説明する。
まず、ユーザーは表示部２２に表示された印刷アプリを用いて、操作部２３を介して印刷の設定を行う（ステップＳ４０１）。印刷の設定とは、例えば、印刷する原稿の選択や、印刷部数、用紙の選択等の各種設定を指し、設定が完了すると操作部２３を介して携帯端末ジョブ管理部２０１へ、ジョブの出力要求が送信される。
【００３７】
携帯端末２の携帯端末ジョブ管理部２０１は、操作部２３から印刷ジョブ送信要求を受信すると、第１の送信制御手段として、通信部２１を介して画像形成装置３に印刷ジョブを送信する（ステップＳ４０２）。
【００３８】
印刷ジョブの送信完了後に、携帯端末ジョブ管理部２０１は、充電情報管理部２０２及び携帯端末情報管理部２０３に対して、充電情報及び携帯端末識別情報の送信を要求する。充電情報管理部２０２及び携帯端末情報管理部２０３は、当該要求を受けると、充電情報及び携帯端末識別情報をそれぞれ携帯端末ジョブ管理部２０１へ送信し、携帯端末ジョブ管理部２０１は第１の送信制御手段として、通信部２１を介して画像形成装置３に充電情報及び携帯端末識別情報を送信する（ステップＳ４０３）。
【００３９】
なお、携帯端末識別情報は、ここでは携帯端末の電話番号の下４桁の数字とする。ユーザーは、印刷アプリを用いて予め携帯端末識別情報を登録しているものとする。
【００４０】
次に、画像形成装置３のジョブ管理部３０１は、第１の受信制御手段として、通信部３１を介して携帯端末２から印刷ジョブを受信し、続いて充電情報及び携帯端末識別情報を受信すると、画像出力手段としての画像出力部３５にジョブの出力要求を送信する。画像出力部３５は当該要求を受信すると、ジョブの出力を行う（ステップＳ４０４）
【００４１】
次に、ジョブ管理部３０１は、ジョブ情報管理手段として機能し、充電状態情報に基づいて携帯端末２が充電中でないかを判断する（ステップＳ４０５）。ジョブ管理部３０１は、充電中であると判断すると（ステップＳ４０５：Ｎｏ）、ステップＳ４１５と移行する。ジョブ管理部３０１は、充電中でないと判断すると（ステップＳ４０５：Ｙｅｓ）、ジョブ管理部３０１は充電残量情報を参照して、第１の閾値Ａ１及び第２の閾値Ａ２との比較を行う。
【００４２】
ここで、第１の閾値Ａ１及び第２の閾値Ａ２は予め設定され、画像形成装置３の記憶部３４に記憶されている値であり、Ａ１＜Ａ２である。
携帯端末２の充電残量をＡとすると、ジョブ管理部３０１は、Ａ１＜Ａ＜Ａ２であるかどうかを判断する（ステップＳ４０６）。ジョブ管理部３０１は、Ａ１＜Ａ＜Ａ２でないと判断すると（ステップＳ４０６：Ｎｏ）、ステップＳ４０７へと移行する。
ステップＳ４０７では、ジョブ管理部３０１は、Ａ＜Ａ１であるかどうかを判断し、Ａ＜Ａ１であると判断した場合（ステップＳ４０７：Ｙｅｓ）、ステップＳ４１１へと移行するが、Ａ＜Ａ１ではないと判断した場合（ステップＳ４０７：Ｎｏ）、ステップＳ４１５へと移行する。
【００４３】
ジョブ管理部３０１は、Ａ１＜Ａ＜Ａ２であると判断すると（ステップＳ４０６：Ｙｅｓ）、ジョブ管理部３０１は、ジョブ所要時間算出部３０２にジョブ完了推定時間ＪＴの算出を要求し、携帯端末駆動時間算出部３０３に携帯端末推定残駆動時間ＲＴの算出を要求する。
【００４４】
ジョブ所要時間算出部３０２は、ジョブ管理部３０１からの要求を受信すると、携帯端末駆動時間算出手段としてジョブ完了推定時間ＪＴを算出し、ジョブ管理部３０１に送信する（ステップＳ４０８）。
なお、ジョブ完了推定時間ＪＴとは、例えば要求受信時点での印刷待ちとなっているジョブの数とそれぞれの部数からトータル枚数を算出し、画像形成装置の印刷速度で割った値に、ジョブ間のインターバルを足す等の補正をして得られた値である。
【００４５】
携帯端末駆動時間算出部３０３は、ジョブ管理部３０１からの要求を受信すると、携帯端末駆動時間算出手段として、充電残量の割合を携帯端末２のトータル連続待機時間に乗算することで携帯端末推定残駆動時間ＲＴを算出し、ジョブ管理部３０１に送信する（ステップＳ４０９）。
トータル連続待機時間とは、携帯端末２が完全に充電された時点から、携帯端末２を起動させた状態で充電残量が０になるまでに要する時間である。なお、トータル連続待機時間は、画像形成装置３の記憶部３４により携帯端末の機種毎に予め設定・記憶されていてもよく、又は携帯端末２の充電情報管理部２０２によって、充電情報とともに画像形成装置３に送信されるものとしてもよい。
【００４６】
次に、ジョブ管理部３０１は、ジョブ完了推定時間ＪＴを携帯端末推定残駆動時間ＲＴ及びユーザーの平均ジョブ確認時間ＣＴと比較する（ステップＳ４１０）。
平均ジョブ確認時間ＣＴとは予め設定された所定時間であり、例えばジョブが完了した時点から、画像形成装置３のもとへジョブの出力結果を確認するまでに要する時間の平均値等が挙げられる。このような値は、予め統計データに基づいて設定され、記憶部３４によって記憶されているものとする。
ジョブ管理部３０１は、ＪＴ＞ＲＴ−ＣＴであるか否かを判断し、ＪＴ＞ＲＴ−ＣＴであると判断した場合（ステップＳ４１０：Ｙｅｓ）、即ちジョブ完了後にユーザーがジョブ出力結果を確認するまで、携帯端末２の駆動時間が残されていないと考えられる場合、ステップＳ４１１へと移行する。ジョブ管理部３０１は、ＪＴ＞ＲＴ−ＣＴではないと判断した場合（ステップＳ４１０：Ｎｏ）、ステップＳ４１５へと移行する。
【００４７】
ステップＳ４１１では、ジョブ管理部３０１は記憶部３４に対して、ジョブ情報の蓄積を要求する。記憶部３４は当該要求を受信すると、記憶手段としてジョブ情報をＨＤＤ等に保存する。
【００４８】
次に、ジョブ管理部３０１は、通信部３１を介して携帯端末２に再印刷が可能である旨を伝える情報を送信する（ステップＳ４１２）。通信部２１を介して携帯端末ジョブ管理部２０１が当該要求を受信すると、表示部２２に、図５のような再印刷可能通知を表示させる（ステップＳ４１３）。
【００４９】
次に、ジョブ管理部３０１はステイ時間算出部３０４に対してステイ時間Ｓの算出を要求する。ステイ時間算出部３０４はステイ時間カウント制御を開始する（ステップＳ４１４）。ステイ時間カウント制御については、後述する。
【００５０】
ステイ時間カウント制御を終了すると、ジョブ管理部３０１は記憶部３４に対してジョブ情報の消去を要求する。記憶部３４は当該要求を受けると、ＨＤＤ等に保存されたジョブ情報を消去し（ステップＳ４１５）、ジョブ情報管理制御を終了する。
【００５１】
次に、図６のフローチャートを用いて、ステイ時間カウント制御について説明する。
ステイ時間カウント制御においては、ステイ時間ＳをＳ１、Ｓ２、Ｓ３、Ｓ４の内のいずれかに設定する。なお、Ｓ１＞Ｓ２＞Ｓ３＞Ｓ４であり、例えば、図７のように設定され、記憶部３４によって予め記憶する。
ジョブ管理部３０１は、空き容量算出手段として、ステイ時間カウント制御開始時点の画像形成装置３の記憶部３４の空き容量Ｒを算出し、空き容量Ｒが所定の閾値Ｒ１を下回るかどうかを判断する（ステップＳ６０１）。Ｒ１は画像形成装置の利用頻度を考慮して、例えば、小規模オフィス（利用頻度：低）の場合は３−７ＧＢ、大規模オフィス（利用頻度：高）の場合は７−１５ＧＢのように設定することができる。若しくは、画像形成装置３毎に、過去数日間の記憶部３４のＨＤＤの利用頻度を考慮して算出するものとしてもよい。なお、閾値Ｒ１は画像形成装置３の記憶部３４によって、予め記憶されている。
ジョブ管理部３０１は、Ｒ＜Ｒ１であると判断した場合(ステップＳ６０１：Ｙｅｓ)、ステイ時間ＳをＳ４に設定する（ステップＳ６０２）。ジョブ管理部３０１は、Ｒ＜Ｒ１ではないと判断した場合(ステップＳ６０１：Ｎｏ)、ステップＳ６０３へと移行する。
【００５２】
ステップＳ６０３では、ジョブ管理部３０１は、距離算出手段として、ステイ時間カウント制御開始時点の携帯端末２と画像形成装置３との距離Ｌを算出し、算出された距離Ｌが所定の閾値Ｌ１を下回るかどうかを判断する。なお、閾値Ｌ１は画像形成装置３の記憶部３４によって、予め記憶されており、例えば５ｍ〜１０ｍが好ましい。
ジョブ管理部３０１は、Ｌ＜Ｌ１であると判断した場合（ステップＳ６０３：Ｙｅｓ）、充電残量ＡがＡ１＜Ａ＜Ａ２であるかどうかを判断する（ステップＳ６０４）。ジョブ管理部３０１は、充電残量ＡがＡ１＜Ａ＜Ａ２であると判断した場合（ステップＳ６０４：Ｙｅｓ）、ステイ時間ＳをＳ４に設定し（ステップＳ６０５）、充電残量ＡがＡ１＜Ａ＜Ａ２ではないと判断した場合（ステップＳ６０４：Ｎｏ）、ステイ時間ＳをＳ３に設定する（ステップＳ６０６）。
【００５３】
ジョブ管理部３０１は、Ｌ＜Ｌ１ではないと判断した場合（ステップＳ６０３：Ｎｏ）、充電残量ＡがＡ１＜Ａ＜Ａ２であるかどうかを判断する（ステップＳ６０７）。ジョブ管理部３０１は、充電残量ＡがＡ１＜Ａ＜Ａ２であると判断した場合（ステップＳ６０７：Ｙｅｓ）、ステイ時間ＳをＳ２に設定し（ステップＳ６０８）、ジョブ管理部３０１は、充電残量ＡがＡ１＜Ａ＜Ａ２ではないと判断した場合（ステップＳ６０７：Ｎｏ）、ステイ時間ＳをＳ１に設定する（ステップＳ６０９）。
ステイ時間Ｓの設定が完了すると、ジョブ管理部３０１はステイ時間Ｓのカウントを開始する（ステップＳ６１０）。
【００５４】
次に、ジョブ管理部は再印刷設定表示制御手段として、表示手段としての表示部３２に、図８のようなログイン選択画面を表示させ（ステップＳ６１１）、携帯端末２に送られた通知を確認して画像形成装置３のもとに来たユーザーが、ログインするか否かを選択できるようにする。
【００５５】
ジョブ管理部３０１は、認証手段として機能し、ユーザーが操作手段としての操作部３３から携帯端末識別情報が入力されたかどうか、即ちログインしたかどうかを判断する（ステップＳ６１２）。ジョブ管理部３０１は、携帯端末識別情報が入力されていないと判断した場合（ステップＳ６１２：Ｎｏ）、ステイ時間Ｓのカウントが終了したかどうかを判断し（ステップＳ６１３）、終了したと判断した場合(ステップＳ６１３：Ｙｅｓ)、ステイ時間カウント制御を終了するが、終了していないと判断した場合（ステップＳ６１３：Ｎｏ）、ステップＳ６１２へと戻る。
ジョブ管理部３０１は、携帯端末識別情報が入力された、即ちログインしたと判断した場合（ステップＳ６１２：Ｙｅｓ）、ジョブ管理部３０１は、ステイ時間Ｓのカウントを一時停止する（ステップＳ６１４）。
【００５６】
次に、ジョブ管理部３０１は表示部３２を図９のような再印刷設定画面に遷移させる（ステップＳ６１５）。再印刷設定画面上では、ユーザーは前回印刷時の設定を呼び出すことができる。また、記憶部３４に予め記憶されている初期設定を呼び出すことも可能である。
【００５７】
続いて、ジョブ管理部３０１は再印刷が実行されたかどうかを判断し（ステップＳ６１６）、実行されたと判断した場合（ステップＳ６１６：Ｙｅｓ）、ステイ時間カウント制御を終了する。
ジョブ管理部３０１は、再印刷が実行されていないと判断した場合（ステップＳ６１６：Ｎｏ）、認証手段として、ログアウトしたかどうかを判断し（ステップＳ６１７）、ログアウトしていないと判断した場合（ステップＳ６１７：Ｎｏ）、ステップＳ６１６へと戻るが、ログアウトしたと判断した場合（ステップＳ６１７：Ｙｅｓ）、ステイ時間Ｓのカウントを再開する（ステップＳ６１８）。
【００５８】
次に、ジョブ管理部３０１は、ステイ時間Ｓのカウントが終了したかどうかを判断し（ステップＳ６１９）、カウントが終了したと判断した場合（ステップＳ６１９：Ｙｅｓ）、ステイ時間カウント制御を終了する。ジョブ管理部３０１は、カウントが終了していないと判断した場合（ステップＳ６１９：Ｎｏ）、ステップ６１２へと戻る。
【００５９】
以上説明したように、本実施形態に係る画像形成システムによれば、携帯端末の充電残量が所定の閾値を下回り、再印刷実行時にバッテリー切れとなる可能性が高いと判断された場合に、画像形成装置にジョブ情報をステイさせることによって、携帯端末がバッテリー切れとなった場合であっても、携帯端末を操作することなく再印刷することが可能である。加えて、ジョブ情報をバッテリーの充電残量に基づいて適切に管理することができるので、ジョブ情報を記憶するリソースの低下を抑制できる。
【００６０】
また、携帯端末の充電残量情報は、携帯端末が画像形成装置に対してジョブ情報を送信完了した時点のものを用いるため、再印刷時における携帯端末の推定残駆動時間をより高い精度で予測することができる。
【００６１】
また、携帯端末推定残駆動時間及びジョブ完了推定時間、ユーザーの平均ジョブ確認時間を用いてジョブ情報のステイの有無を判断するため、ジョブ情報管理制御の精度を高めることができる。
【００６２】
また、画像形成装置の記憶部３４の空き容量、携帯端末と画像形成装置との距離、及び充電残量に基づいてステイ時間を制御するため、記憶部３４の空き容量を超えることのない範囲で、適切な時間ジョブ情報をステイさせることができる。
【００６３】
また、再印刷可能モードに移行した場合は、携帯端末に再印刷可能通知を表示させるため、ユーザーに再印刷可能である旨を知らせることができる。
【００６４】
また、再印刷を実行する際には、ユーザーが携帯端末識別番号の入力によってログインする必要がある。これにより、他のユーザーがジョブ情報を取り違えたり、情報が漏洩したりする虞が低減される。
【００６５】
また、再印刷設定時には、ユーザーは前回印刷時の設定やデフォルトの設定を呼び出し可能である。従って、再設定の手間を軽減することができる。
【００６６】
また、ユーザーのログイン中はステイ時間のカウントを一時停止し、ユーザーが再印刷することなくログアウトした場合にステイ時間のカウントを再開するため、再び再印刷設定を行う時間的猶予を得ることができる。
【００６７】
以上、本発明に係る実施例に基づいて具体的に説明したが、画像形成装置を構成する各装置の細部構成及び各装置の細部動作に関しても、本発明の主旨を逸脱することのない範囲で適宜変更可能である。
【００６８】
例えば、上記実施形態においては、再印刷可能モードに移行した場合は、携帯端末に再印刷可能通知を表示させるものとしたが、これに限定されず、ジョブの出力後に続けて再印刷可能である旨を用紙に出力することも可能である。これにより、ジョブの完了時に携帯端末がバッテリー切れとなっていた場合でも、ユーザーに通知することができる。
【００６９】
また、再印刷設定時に、再印刷設定の確認としてジョブの一部を出力するおためしジョブを利用可能としてもよい。これにより、設定ミスによる印刷の失敗を未然に防ぐことができる。
【００７０】
なお、画像形成装置のジャム等のトラブルにより、画像形成を行えない状況下では、ステイ時間Ｓのカウントを停止することとしてもよい。さらに、他のユーザーのジョブをステイさせている状況下では、ジョブ管理部３０１は、ステイ時間Ｓの終了が重ならないように適宜ステイ時間Ｓの変更を行うこととしてもよい。このような制御により、予期しないトラブル等に左右されることなく、より確実にユーザーが再印刷モードを活用することができる。
【００７１】
また、上記実施形態においては、充電情報として充電状態情報を含み、充電中であるか否かによって制御を変更する構成としたが、これを省略して、充電残量情報のみに基づいて制御を行うものとしてもよい。
【００７２】
その他、画像形成装置及び携帯端末の細部構成及び各装置の細部動作に関しても、本発明の主旨を逸脱することのない範囲で適宜変更可能である。
【符号の説明】
【００７３】
１  画像形成システム
２  携帯端末
２０  制御部
２０１  携帯端末ジョブ管理部（第１の送信制御手段）
２０２  充電情報管理部
２０３  携帯端末情報管理部
２１  通信部（第１の通信手段）
２２  表示部
２３  操作部
２４  記憶部
３  画像形成装置
３０  制御部
３０１  ジョブ管理部（受信制御手段、送信制御手段、第１の受信制御手段、ジョブ情報管理手段、距離算出手段、空き容量算出手段、認証手段、再印刷設定表示制御手段、テスト印刷制御手段）
３０２  ジョブ所要時間算出部（ジョブ所要時間算出手段）
３０３  携帯端末駆動時間算出部（携帯端末駆動時間算出手段）
３０４  ステイ時間算出部
３１  通信部（通信手段、第２の通信手段）
３２  表示部（表示手段）
３３  操作部（操作手段）
３４  記憶部（記憶手段）
３５  画像出力部（画像出力手段）
Ｎ  ネットワーク（通信ネットワーク）
【図１】
2018069516.tif 000003
【図２】
2018069516.tif 000004
【図３】
2018069516.tif 000005
【図４】
2018069516.tif 000006
【図５】
2018069516.tif 000007
【図６】
2018069516.tif 000008
【図７】
2018069516.tif 000009
【図８】
2018069516.tif 000010
【図９】
2018069516.tif 000011